(57)【特許請求の範囲】
【請求項１】
情報を記憶する情報記憶部を備えたシート状記録媒体にスタンプを押印する際に前記シート状記録媒体を載荷するスタンプ台であって、
前記シート状記録媒体にスタンプを押印する際に、前記情報記憶部に記録されている情報を電波の送受信により非接触で読み取るスタンプ装置が送信する前記電波を増幅させる増幅手段を備え、
前記増幅手段は、前記電波を共振させる共振電波を生成する増幅回路と、前記共振電波を送信するアンテナとを備えることを特徴とするスタンプ台。
【発明の詳細な説明】
【技術分野】
【０００１】
本発明は、例えばスタンプラリーに用いられるスタンプ台等の技術分野に関する。
【背景技術】
【０００２】
従来から、展覧会やテーマパーク等の複数の拠点において利用者がスタンプをスタンプ用台紙に押印していくスタンプラリーが知られている。かかるスタンプラリーでは、例えば基準数のスタンプがスタンプ用台紙に押印されると、景品と交換できるようになっている。
【０００３】
また、上記スタンプには、各拠点の特質（例えば、展覧会のマスコットやテーマパークの外観等）を表した審美性を有する図柄が付されており、利用者は、押印されたスタンプを見ることによって、かかる図柄の審美性を鑑賞することができ、さらに過去に訪れた上記各拠点を回想することもできる。
【０００４】
このような特質を有するスタンプは、利用者に、多くの押印されたスタンプ用台紙を収集したいとするコレクション欲を惹起させるという効果を奏している。
【０００５】
また、本出願人は、上記スタンプがもつ“思い出”的な要素、及び利用者にとってコレクション欲を惹起させる要素を備えつつ、利用者毎の各拠点におけるスタンプ獲得状況を端末装置において電子的に管理すべく、ＩＣチップを用いた電子スタンプシステムを発明した（特願２００８−２４５３６３号）。
【０００６】
かかる先行発明では、非接触通信によりデータを書き込み可能なＩＣチップとスタンプを押印可能な印面とを有するスタンプ帖の当該印面に対してスタンプを押印するスタンプ装置を複数備え、夫々のスタンプ装置が複数の異なる拠点に設置されている。
【０００７】
このスタンプシステムにおいて、夫々の拠点におけるスタンプ装置は、自己が設置される拠点を示す拠点データを記憶しており、印版部によりスタンプが印面に押印される際に、通信可能範囲内に入ったスタンプ帖のＩＣチップを検知し、当該ＩＣチップへの拠点データの書き込みを非接触通信により行う。
【０００８】
そして、利用者は、スタンプ帖を持って異なる複数の拠点を回り、各拠点においてスタンプ装置を用いてスタンプ帖の印面にスタンプを押すが、このとき、当該拠点の通過履歴及びタイムスタンプを有するデータがスタンプ帖のＩＣチップに非接触通信により書き込まれる。つまり、各拠点におけるスタンプ獲得状況を示す情報が、スタンプ帖のＩＣチップ内に格納される。最終的に、利用者は、スタンプ帖を景品交換所に持っていくと、ＩＣチップから上記スタンプ獲得状況を示す情報が処理端末により読み取られ、当該スタンプ獲得状況に応じて例えば抽選により景品交換等を行うことができるようになっている。
【発明の概要】
【発明が解決しようとする課題】
【０００９】
しかしながら、従来のスタンプ帖では、スタンプ帖の印面とスタンプ帖のＩＣチップの距離が通信可能範囲を超えている場合（例えば、スタンプ帖の一の頁に印面が複数あり、当該印面の一部とスタンプ帖のＩＣチップの距離が通信可能範囲を超えてしまう場合）には、スタンプ装置は、当該ＩＣチップに対して拠点データの書き込みを行うことができなきなくなってしまう可能性がある。
【００１０】
かかる事態を防止するためには、上記印面に対して一のＩＣチップを配置することが考えられるが、スタンプ帖に埋め込むＩＣチップの個数が増加してしまい、管理上及び製造コストが増加してしまうこととなってしまう。
【００１１】
そこで、本発明はこのような問題等に鑑みてなされたものであり、その目的は、スタンプ帖のＩＣチップと確実に通信を行うことを可能とするスタンプ台を提供することである。
【課題を解決するための手段】
【００１２】
上記課題を解決するため、請求項１に記載の発明は、情報を記憶する情報記憶部を備えたシート状記録媒体にスタンプを押印する際に前記シート状記録媒体を載荷するスタンプ台であって、前記シート状記録媒体にスタンプを押印する際に、前記情報記憶部に記録されている情報を電波の送受信により非接触で読み取るスタンプ装置が送信する前記電波を増幅させる増幅手段を備え、前記増幅手段は、前記電波を共振させる共振電波を生成する増幅回路と、前記共振電波を送信するアンテナとを備えることを特徴とする。
【００１３】
この発明によれば、スタンプ台は、スタンプ装置から送受信される、記録媒体の前記媒体情報記憶部に記憶されている情報を読み取るための電波を増幅させることができる。
【００１４】
従って、スタンプ装置は、スタンプ装置における通信可能範囲外にあるスタンプ帖に埋め込まれたＩＣチップと電波の送受信を行う場合であっても、ＩＣチップの個数を増やすことなく、当該ＩＣチップとかかる電波の送受信を行うことができる。
【発明の効果】
【００１６】
以上のように、本発明によれば、スタンプ台は、スタンプ装置から送受信される、記録媒体の前記媒体情報記憶部に記憶されている情報を読み取るための電波を増幅させるため、スタンプ装置は、スタンプ装置における通信可能範囲外にあるスタンプ帖に埋め込まれたＩＣチップと電波の送受信を行う場合であっても、ＩＣチップの個数を増やすことなく、当該ＩＣチップと電波の送受信を行うことができる。
【図面の簡単な説明】
【００１７】
【図１】本実施形態に係るスタンプシステムの概要構成例を示す図である。
【図２】本実施形態に係るスタンプ装置１及びスタンプ台２の構成を説明するための断面図である。
【図３】本実施形態にかかるスタンプシステムＳの動作を示す概念図である。
【発明を実施するための形態】
【００１８】
以下、本発明を実施するための最良の実施形態について、図面に基づいて説明する。
【００１９】
［１．スタンプシステムＳの構成及び機能］
先ず、本発明の一実施形態に係るスタンプシステムの構成及び機能について説明する。
【００２０】
図１は、本実施形態に係るスタンプシステムの概要構成例を示す図である。
【００２１】
図１に示すように、スタンプシステムＳは、スタンプ帖Ｔ（本願のシート状記録媒体の一例）にスタンプを押印可能なスタンプ装置１、及びスタンプ台２、ホスト６、及びサーバ７等を備えて構成されている。
【００２２】
このようなスタンプシステムＳがスタンプラリーに利用される場合、スタンプ装置１、スタンプ台２、及びスタンプ装置１が接続されるホスト６のセットは、複数の異なる拠点に設置される。そして、スタンプラリーを行う利用者は、スタンプ帖Ｔを持って各拠点をまわり、各拠点においてスタンプ装置１を用いてスタンプをスタンプ帖Ｔに押印するが、その際、情報がホスト６を介して７に収集される。
【００２３】
［２．スタンプ装置１、スタンプ台２、及びスタンプ帖Ｔの構成及び機能］
ここで、スタンプ装置１、スタンプ台２、及びスタンプ帖Ｔの構成及び機能について図１及び図２を用いて説明する。
【００２４】
図２は、本実施形態に係るスタンプ装置１及びスタンプ台２の構成を説明するための断面図である。
【００２５】
スタンプ装置１は、図２に示すように、ＵＳＢ端子１１、筐体グリップ部１２、筐体スタンプ部１３、化粧・認識用ＬＥＤ（発光ダイオード）１４、ホスト６との間で通信を行うための通信Ｉ／Ｆ（インターフェイス）等を備えた制御基板１５、スピーカ（又はブザー）１６、スペーサ１７、図示しないＲＦＩＤ（Radio Frequency Identification System）リーダライタ通信スイッチ（以下、「Ｒ／Ｗ通信スイッチ」という）及びＲＦＩＤアンテナが備えられるＲＦＩＤアンテナ基板１８、ＲＦＩＤリーダライタ通信スイッチ用ゴム１９、印面貼り付け部２０、スタンプ帖Ｔの印面に対してスタンプを押印するための印版部としてのゴム印２１、グリップ部に埋設された盗難防止金具２２、及び盗難防止金具２２に係止されグリップ部に収納可能に設置される盗難防止リング２３、等をそなえて構成されている。なお、通信Ｉ／Ｆは、ＵＳＢケーブル及びＵＳＢ端子１１を通じてホスト６に接続される。なお、通信Ｉ／Ｆは、ＲＳ２３２Ｃケーブル、又はBluetooth（登録商標）による無線等を通じてホスト６に接続されるものであってもよい。
【００２６】
制御基板１５は、ＣＰＵ，ＲＡＭ，ＲＯＭ，不揮発性メモリ等を備え、ＲＦＩＤリーダライタの機能を有する。
【００２７】
かかるＲＦＩＤリーダライタは、例えば非接触ＩＣカード技術である公知のFeliCa（登録商標）技術を採用しており、当該FeliCa技術を採用したＩＣチップ（以下、「ＲＦＩＤチップ」という）からのデータの読み取り及び当該ＲＦＩＤチップへのデータの書き込みを非接触で（非接触通信により）行うことが可能になっている。なお、非接触ＩＣカード技術として上記FeliCa以外の技術を適用しても良く、例えば、MIFARE(R)ウルトラライト（ISO 14443A）の技術を適用しても良い。また、NFC（Near  Field  Communication）（登録商標）等を適用することもできる。
【００２８】
例えば、ＲＦＩＤリーダライタは、Ｒ／Ｗ通信スイッチがＯＮ（オン）であるときに通信可能範囲内（例えば、10cm程度）に入ったＲＦＩＤチップを、ＲＦＩＤアンテナを介して検知し、当該ＲＦＩＤチップに電波（例えば13.56MHz）を発信することでＲＦＩＤチップに電力を供給（電磁誘導による）し、キャリアの変調により当該ＲＦＩＤチップ間でデータ通信（ＲＦＩＤの非接触通信）を行うことにより、当該ＲＦＩＤチップからのデータの読み取り及び当該ＲＦＩＤチップへのデータの書き込みを非接触で行う。
【００２９】
また、制御基板１５に備えられるＲＯＭ（又は不揮発性メモリ）の所定の記憶領域には、スタンプ装置毎に固有のスタンプＲ／ＷＩＤを記憶するようにしてもよい。
【００３０】
Ｒ／Ｗ通信スイッチは、アンテナ基板１８のスタンプ台２側の面に設けられるスイッチであり、例えば基板に実装可能なプッシュスイッチ等が適用される。
【００３１】
プッシュスイッチは公知の製品であるため詳しい説明は省略するが、当該プッシュスイッチは、プッシュスイッチの筐体から外部に突出する突起部を備える。当該突起部は、プッシュスイッチの筐体内部に備えられたバネによって、当該筐体の外部へ向けて付勢される。そして、上記突起部に所定の外力が付勢されると、当該突起部は上記筐体内部へ押し込まれ、プッシュスイッチは電気的にＯＮの状態となる。一方、上記付勢がとかれると、プッシュスイッチは電気的にＯＦＦの状態となる。
【００３２】
本実施形態では、Ｒ／Ｗ通信スイッチは、ゴム印２１の印面がスタンプ帖Ｔの印面に押し当てられスタンプ装置１によってスタンプが押印された場合には、Ｒ／Ｗ通信スイッチの突起部に押し当てによって外力が付勢されるためＯＮとなる。
【００３３】
スイッチ用ゴム２０は、Ｒ／Ｗ通信スイッチのスタンプ台２側の面（例えば、上記突起部の天面部）に設けられる弾性部材であり、例えば、ゴム、ウレタンゴム又はシリコンゴム等が適用される。
【００３４】
ゴム印２１のスタンプ台２側の印面には、所定の文字、図形等のキャラクタの像形状が形成されており、反対の面は図示のように印面貼り付け部２０に接着されている。そして、スタンプ帖Ｔを所持する利用者がスタンプ装置１を持ち上げ、ゴム印２１の印面を、スタンプ帖Ｔの印面（紙面）に押し当てると上記像形状のスタンプが押印されることになる。なお、印版部としては、ゴム印の他にも、撓み易い材質の印であっても良い。
【００３５】
スタンプ帖Ｔは、図１に示すように、スタンプを押印可能な複数の印面Ｔ１〜Ｔ４を有し、当該複数の印面それぞれにスタンプを押印するようになっている。
【００３６】
さらに、スタンプ帖Ｔには、上述したＲＦＩＤチップとしてのＲＦＩＤチップＣ（情報記憶部の一例）が埋め込まれている。かかるＲＦＩＤチップＣには、例えば、固有の識別番号であるスタンプ帖ＩＤ等、所定の情報が記憶される。
【００３７】
なお、ＲＦＩＤチップＣはスタンプ帖Ｔに埋め込まれるのではなく、貼り付けられるようにしても良い。また、ＲＦＩＤチップＣが埋め込まれたＩＣカードが、スタンプ帖Ｔに埋め込まれ（又は貼り付けられ）る構成としても良い。また、ＲＦＩＤチップＣ又はこれが埋め込まれたＩＣカードが、スタンプ帖Ｔに設けられたポケットに挿入されるように構成しても良い。
【００３８】
そして、スタンプ装置１のゴム印２１によりスタンプがスタンプ帖の印面Ｔ１〜Ｔ４に押印される際に、スタンプ装置１のＲＦＩＤリーダライタによりスタンプ帖ＴのＲＦＩＤチップＣからスタンプ帖ＩＤ等が非接触で読み取られるが、このとき、制御基板１５のＣＰＵは、当該読み取られたスタンプ帖ＩＤ及び不揮発性メモリに記憶されているスタンプＲ／ＷＩＤを通信Ｉ／Ｆ等を介してホスト６に送信する。ホスト６は、これを受信し、当該読み取られたスタンプ帖ＩＤ及び不揮発性メモリに記憶されているスタンプＲ／ＷＩＤをサーバ７に送信する。
【００３９】
サーバ７は、受信されたスタンプ帖ＩＤ及びスタンプＲ／ＷＩＤと、スタンプ帖ＩＤが読み取られた年月日時等とを対応づけて記憶するデータベースを有している。さらに、ホスト６は、新にスタンプ帖ＩＤ及びスタンプＲ／ＷＩＤが受信されると、上記データベースに対して、新に受信されたスタンプ帖ＩＤ及びスタンプＲ／ＷＩＤが既に上記データベースに登録されているか否か問合せし、問合せ結果が既に登録されている（重複する）場合には、重複するスタンプ獲得を許可せず失敗（ＮＧ）と判定し、登録されていない場合には成功（ＯＫ）と判定する。そして、ホスト６は、上記判定結果を制御基板１５のＣＰＵへ送信する。
【００４０】
なお、サーバ７は、新たに受信されたスタンプ帖ＩＤ及びスタンプＲ／ＷＩＤが、上記データベースに登録されていない場合（上記重複しない場合）には、かかるデータベースに当該スタンプ帖ＩＤ及びスタンプＲ／ＷＩＤを登録する（当該データベースを更新する）。
【００４１】
すると、制御基板１５のＣＰＵは、ホスト６から送信された判定結果に応じた音光制御を行う。
【００４２】
かかる音光制御により、判定結果に応じた情報が化粧・認識用ＬＥＤ１４及びスピーカ１６を通じて出力される。
【００４３】
この判定結果が成功である場合には、制御基板１５のＣＰＵは、化粧・認証用ＬＥＤ１４を点灯させると共に、スピーカ１６に成功を喚起させる音（例えば、明るいチャイム音等）を鳴らさせる。一方、判定結果が失敗（ＮＧ）である場合には、化粧・認識用ＬＥＤ１４を点灯させると共に、スピーカ１６に失敗を喚起させる音（例えば、警告音等）を鳴らさせる。
【００４４】
さらに、制御基板１５は、ホスト６との間で通信を行わず（上記通信Ｉ／Ｆを備えず）、例えば、ＲＯＭ等に記録されたファームウェアを用いてスタンドアローンで動作をすることもできる。
【００４５】
この場合、スタンプ帖ＴのＲＦＩＤチップＣには、スタンプＲ／ＷＩＤと、スタンプ帖ＩＤが読み取られた年月日時等とを対応づけて所定の記憶領域に記憶されている。
【００４６】
そして、制御基板１５のＣＰＵは、上記ファームウェアの制御のもと、不揮発性メモリに記憶されているスタンプＲ／ＷＩＤが、既にスタンプ帖ＴのＲＦＩＤチップＣに登録されているか否か検査し、既に登録されている（重複する）場合には、重複するスタンプ獲得を許可せず失敗（ＮＧ）と判定し、登録されていない場合には成功（ＯＫ）と判定する。
【００４７】
また、スタンプ装置１の各機能を駆動させる電源は、ＵＳＢケーブル及びＵＳＢ端子１１を介して供給されるようにしてもよいし、スタンプ装置１に内部電池を設けることにより供給されるようにしてもよい。
【００４８】
スタンプ台２は、図２に示すように、本願の増幅手段としての増幅回路部３及びアンテナ部４、及び増幅回路部３等へ電源を供給する電源部５等を含んで構成される。
【００４９】
なお、本実施形態においては電源部５を含んで構成されているが、電源部５を構成に含まないようにしてもよい。
【００５０】
増幅回路部３は、制御基板１５のＣＰＵから送信される電波を共振させる共振電波を生成するための回路である。
【００５１】
具体的には、増幅回路部３は、図示しないコンデンサ、及びアンテナ部４から構成される発信回路であり、制御基板１５の指示のもと、アンテナ基板１８から電波が送受信されると、アンテナ部４と協働して、送信される電波を共振させて増幅する作用を引き起こす。
【００５２】
例えば、増幅回路部３は、コンデンサの電気容量を可変とすることにより、上記共振電波の周波数を設定している。
【００５３】
ここで電波の共振については公知の現象であるため詳しい説明は省略するが、ある周波数を示す電波に対して、所定の周波数を示す他の電波が重畳された場合に、当該電波が重畳された電波の振幅が急激に増大する現象をいう。
【００５４】
［３．スタンプシステムＳの動作］
次に、本実施形態に係るスタンプシステムＳの動作について図３を用いて説明する。
【００５５】
図３は、本実施形態にかかるスタンプシステムＳの動作を示す概念図である。
【００５６】
前提として、例えばスタンプラリーで使用されるスタンプ帖Ｔ（スタンプラリーのサービス提供者が用意）が利用者に配布される。
【００５７】
そして、利用者が拠点においてスタンプ装置１を用いてスタンプ帖Ｔの印面Ｔ１にスタンプＰ１を押印すると、アンテナ基板１８に設けられたＲ／Ｗ通信スイッチがＯＮとなる。
【００５８】
すると、ＲＦＩＤリーダライタは、スタンプ帖ＴのＲＦＩＤチップＣに記憶されているスタンプ帖ＩＤを非接触で読み取るために、ＲＦＩＤチップＣへ電波を送信する（換言すれば、ＲＦＩＤリーダライタは、スタンプ帖Ｔの印面Ｔ１の位置から、ＲＦＩＤチップＣへ電波を送信する）。
【００５９】
かかる電波は、上述したように、ＲＦＩＤチップＣに電力を供給し、情報を外部へ送信させるためのエネルギーとコマンドであり、所定の周波数を示している。そして、当該電波が示す周波数に応じて、ＲＦＩＤリーダライタとＲＦＩＤチップＣの通信可能範囲は、異なる値を示している。
【００６０】
具体的には、ISO/IEC18000-2〜ISO/IEC18000-７で定義されており、例えば、かかる電波が示す周波数が１３５ｋＨｚ未満であった場合は、ＲＦＩＤリーダライタとＲＦＩＤチップの通信可能範囲は数ｃｍ〜１ｍと、当該周波数が１３．５６ＭＨｚであった場合には、当該通信可能範囲は数ｃｍ〜数十ｃｍと、当該周波数が９５０ＭＨｚ（ＵＨＦ帯）であった場合には、当該通信可能範囲は１０ｍ未満と、当該周波数が２．４５ＧＨｚであった場合には、当該通信可能範囲は２ｍ未満と、夫々定義されている。
【００６１】
ここで、上述したように、ＲＦＩＤリーダライタは、スタンプ帖Ｔの印面Ｔ１の位置から、ＲＦＩＤチップＣへ電波を送信するようになっている。従って、スタンプ帖Ｔの印面Ｔ１とＲＦＩＤチップＣとの距離が上記通信可能範囲よりも離れていた場合（例えば、印面Ｔ１〜Ｔ４とＲＦＩＤチップＣとの距離が数ｃｍ離れていた場合）には、ＲＦＩＤリーダライタは、ＲＦＩＤチップＣに対して、電波を送信することができない。
【００６２】
さらにこの場合、ＲＦＩＤチップＣは、ＲＦＩＤリーダライタから送信される電波を受信することができない。従って、ＲＦＩＤチップＣには、電力が供給されず、その結果、ＲＦＩＤチップＣは、ＲＦＩＤリーダライタへスタンプ帖ＩＤを送信できない。即ち、ＲＦＩＤリーダライタは、ＲＦＩＤチップＣに対して、電波を送受信することができないこととなる。
【００６３】
本実施形態では、増幅回路部３は、アンテナ部４と協働してアンテナ基板１８が送受信する電波に対する共振作用を引き起こす。その結果、ＲＦＩＤリーダライタが送受信する電波が増幅され、ＲＦＩＤリーダライタとＲＦＩＤチップＣの通信可能範囲は、拡大されることとなる。
【００６４】
従って、スタンプ帖Ｔの印面Ｔ１〜Ｔ４とＲＦＩＤチップＣとの距離が上記通信可能範囲よりも離れていた場合であっても、かかる共振電波によって、ＲＦＩＤリーダライタは、ＲＦＩＤチップＣに対して、電波を送受信することができる。
【００６５】
スタンプシステムＳの動作の説明に戻り、スタンプ装置１は、当該読み取られたスタンプ帖ＩＤ及び不揮発性メモリに記憶されているスタンプＲ／ＷＩＤを通信Ｉ／Ｆ等を介してホスト６に送信すると、ホスト６は、これを受信し、当該当該読み取られたスタンプ帖ＩＤ及び不揮発性メモリに記憶されているスタンプＲ／ＷＩＤをサーバ７に送信する。
【００６６】
サーバ７は、上述した判定を行い、かかる判定結果をホスト６を介してスタンプ装置１へ送信する。
【００６７】
スタンプ装置１は、サーバ７から送信された判定結果をホスト６を介して受信すると、上述したように、判定結果に応じた音光制御を行う。
【００６８】
なお、当該音光制御はスタンプ装置１ではなく、判定結果を受信したホスト６が行うように構成してもよい。つまり、ホスト６は、受信した判定結果が成功である場合には、ディスプレイ上に成功を示す情報を表示させると共に、スピーカ１６に成功を喚起させる音（例えば、チャイム音等）を鳴らさせる。一方、判定結果が失敗である場合には、ディスプレイ上に失敗を示す情報を表示させると共に、スピーカ１６に失敗を喚起させる音（例えば、警告音等）を鳴らさせる。このように構成した場合、スタンプ装置１に表示機能及び音声出力機能を持たせなくともよく、スタンプ装置１にはスタンプ帖ＴのＲＦＩＤチップＣからスタンプ帖ＩＤを読み取る機能等、必要最小限の機能だけを持たせるようにすることができる。
【００６９】
以上の処理は、スタンプ装置１によりスタンプ帖Ｔの印面にスタンプが押印される度に行われる。
【００７０】
以上説明したように、上記実施形態によれば、スタンプ台２は、ＲＦＩＤリーダライタが送受信する電波を共振により増幅する共振電波をアンテナ部４を介して発信する。
【００７１】
従って、スタンプ装置１は、スタンプ装置１における通信可能範囲外にあるスタンプ帖Ｔに埋め込まれたＲＦＩＤチップＣと電波の送受信を行う場合であっても、ＲＦＩＤチップＣの個数を増やすことなく、当該ＲＦＩＤチップＣと電波の送受信を行うことができる。
【符号の説明】
【００７２】
１          スタンプ装置
２          スタンプ台
３          増幅回路部
４          アンテナ部
５          電源部
１１        ＵＳＢ端子
１２        筐体グリップ部
１３        筐体スタンプ部
１４        化粧・認識用ＬＥＤ
１５        制御基板
１６        スピーカ（又はブザー）
１７        スペーサ
１８        ＲＦＩＤアンテナ基板
１９        ＲＦＩＤリーダライタ通信スイッチ用ゴム
２０        印面貼り付け部
２１        ゴム印
２２        盗難防止金具
２３        盗難防止リング
Ｔ          スタンプ帖
Ｔ１〜Ｔ４  スタンプ帖の印面
Ｃ          ＲＦＩＤチップ
Ｓ          スタンプシステム
【図１】
0005402473.tif 000002
【図２】
0005402473.tif 000003
【図３】
0005402473.tif 000004